(57)【要約】【課題】  従来使用しているそのままの形状の立方体の遊技用シェルターは、設置・固定・移動・収納に不便であった。特に、屋内では固定が困難であった。どこでも簡単に移動・設置でき、収納場所をとらず、誰でも簡単に利用できるシェルターの提供。【解決手段】  組み立てること、空気を圧入することによって出来る形状保持体と、これをカバーする部材、ゴムの台とより構成し、カバー部材で台に固定する。ゴム製の台を有するため、屋内では滑り止め効果もあり床面を傷つけることなく、移動・設置が１人でも出来る。使用しないときは、これまでのものに比べ少ないスペースで収納できる。【選択図】図１
2008093394.tif 000002
【特許請求の範囲】
【請求項１】
形状保持体と、これをカバーする部材と、台とより構成され、カバー部材が台に固着されて成る遊技用シェルター。
【請求項２】
形状保持体が、組み立て式箱体より成る請求項１記載の遊戯用シェルター。
【請求項３】
形状保持体が、ドーナツ状の袋体より成り、袋体内に空気を圧入した遊技用シェルター。
【発明の詳細な説明】
【技術分野】
【０００１】  本発明は、屋内・屋外ともに使用可能で、設置、固定、移動、収納が１人でもできる遊技用シェルターに関するものである。
【背景技術】
【０００２】  従来、スポーツ雪合戦においては、シェルターは雪で作られるか、立方体の形をしたシェルターを用いていた。固定は杭等を打ち込み行っていた。そのため、設置、移動、収納等不便であり、最低でも３〜４人の労力と広い収納場所が必要で、どこでもできるスポーツとして浸透しなかった。【０００３】  雪のない場所での雪合戦、雪合戦を模したスポーツにおいても同様に、立方体の形をしたシェルターを用いていた。そのため、設置、固定、移動、収納等不便で労力と収納場所を必要とした。【０００４】  室内で行う場合、床面を傷つけないようにシート等準備し、その上に設置するが、固定が困難で、競技中にシェルターが移動したり、倒れることもあって危険であった。【０００５】  スポーツ雪合戦において、これまで考えられていたものに、雪玉製造機（特許文献１）がある。これ以外に、雪合戦に関するものとしては、雪玉やボールを飛ばすスティック（特許文献２）がある。また、組み立て式の箱状のものとしては、用途は全く違うものの、折りたたみ式のコンテナーがある。（特許文献３・特許文献４）
【特許文献１】  実開平５−８３６７６号公報
【特許文献２】  実開平５−６３５９９号公報
【特許文献３】  特開２００６−１８８２７０号公報
【特許文献４】  実用新案登録番号  第２５８９１６６号公報
【発明の開示】
【発明が解決しようとする課題】
【０００６】  従来使用している立方体のシェルターは、設置、固定、移動、収納等不便である。
本発明は、その点を解決することを課題とする。【０００７】  この発明の目的は、どこでも簡単に移動設置して固定でき、収納場所をとらずに、誰でも簡単に利用できるシェルターを提供することにある。
【課題を解決するための手段】
【０００８】  そして、本発明は上記目的を達成するために、形状保持体と、それをカバーする部材と、台とからなり、カバー部材で台に固着するように構成されている。【０００９】  また、第２の課題解決手段は、形状保持体が組み立て式の箱体より成ることである。【００１０】  さらに、第３の課題解決手段は、形状保持体が、ドーナツ状の袋体より成り、袋体内に空気を圧入し形状を作ることである。【００１１】  上記第１の課題解決手段による作用は、形状保持体と台とカバー部材からなることにより、これらを解体して移動及び収納することが出来る。また、台は、重さ５ｋｇ程度で、柔軟性のあるゴムを使用する。屋外では、台を杭などで固定し、屋内ではゴムの滑り止め効果と加重、さらには耐震用の滑り止めを装着することにより固定することが出来る。
ゴムの台のため、床面へ傷をつけることもない。ゴムの台を形状保持体より大きくすることと、ゴムの弾性により転倒を防ぐことも出来る。【００１２】  上記第２の課題解決手段による作用は、形状保持体に折りたたみ式のコンテナーのような組み立て式箱体を用いることで、１人で組みたてたり、解体することが出来、また、収納場所も現在使用しているそのままの形状のシェルターに比べると５分の１のスペースですむことである。【００１３】  上記第３の課題解決手段による作用は、形状保持体がドーナツ状の袋体から成るもの、たとえば、タイヤチューブに空気を入れて用い、これは、空気を入れないときは、ドーナツ状の袋で、移動及び設置が１人で出来、収納場所もさらに少なくてすむ。
【発明の効果】
【００１４】  上述したように、本発明によれば、屋内や屋外を問わず、どこでも誰でも１人で組み立て固定でき、移動が便利で、収納場所をとらない遊技用シェルターを提供することが出来る。
【発明を実施するための最良の形態】
【００１５】  以下、本発明の実施の形態を図１から図６に基づいて説明する。【００１６】  図１には、本発明の遊技用シェルターの構成が示されている。この図において、シェエルター１０は、形状保持体２６とそれをカバーする部材２１、さらに台２５から構成されている。シェルターの大きさは、基本は幅及び高さとも９０ｃｍ、厚さは４５ｃｍであるが、厚さは３０ｃｍから５０ｃｍ、幅及び高さは１ｍまでとする。台の大きさは、安定性を考慮して、形状保持体より前後左右に１０ｃｍ以上、重さは５ｋｇ程度が必要である。カバー部材は、ビニール製のものでよいが、台への固定を考えるとテントに使用するような強度のあるものがよい。【００１７】  ［第１実施例］図２には、本発明の第１の実施例が示されている。形状保持体２６の組み立て式箱体の形状について示している。図（Ａ）に示されるように保持体の上面１及び台２５は穴８を、ねじフック７から取り外し分解できる。中の形状保持体は、図２（Ｂ）に示されるように側面３及び４を隣接面２の内側に、折りたたむことにより入れることが出来る。【００１８】  ［第２実施例］図３には、本発明の第２の実施例が示されている。図３（Ａ）は、［第１実施例］と同じ様に形状保持体を取り外し分解できる。中の保持体は、図３（Ｂ）に示されるように側面２と３をスライドさせることにより折りたたむことができる。【００１９】  ［第３実施例］図４には、本発明の第３の実施例が示されている。図４（Ａ）は、一体型のシェルター１０で、折りたたむ事ができる。折りたたむ方法は、図４（Ｂ）に示すように両方の側板（縦長）１３を、内側上方に折込み、図４（Ｃ）の様に側板（横長）１１及び１２を内側に折込み、図４（Ｄ）のように畳む。【００２０】  ［第４実施例］図５には、本発明の第４の実施例が示されている。図５（Ａ）は、一体型のシェルター１０で、２段に折りたたむ事ができる。折りたたむ方法は、図５（Ｂ）に示すように両方の側板１４及び両側板２０を内側上方に折込み、図５（Ｃ）の様に側板（横長）１５・１６・１７・１８を内側に折込み、図５（Ｄ）のように畳む。【００２１】  ［第５実施例］図６には、本発明の第５の実施例が示されている。図６（Ｃ）は、シェルター１０は、カバー２１と、保持体２２、台５とそして穴８とねじフック７とで形成されている。カバーは、ビニール製の物で良いが、強度のあるものが望ましい。形状保持体はチューブに空気を注入し形成されているので、空気を抜くことにより、シェルター１０を解体できる。【００２２】  シェルターの素材としては、木製・発泡品・プラスチック・紙などで、形状も円柱・円錐・角柱・角錐でも良い。
【図面の簡単な説明】
【図１】遊技用シェルターの構成を示す半分解の斜視図である。
【図２】（Ａ）は、遊技用シェルターの分解斜視図、（Ｂ）は、折り畳み遊技用シェルターの折りたたみ途中あるいは組み立て途中を示す斜視図である。
【図３】（Ａ）は、遊技用シェルターの分解斜視図、（Ｂ）は、折り畳み遊技用シェルターの側面をスライドさせた状態を示す斜視図である。
【図４】（Ａ）は、一体型遊技用シェルター斜視図、（Ｂ）（Ｃ）（Ｄ）は、折り畳み遊技用シェルターの折りたたみ途中あるいは組み立て途中を示す斜視図、（Ｅ）は、側面図である。
【図５】（Ａ）は、一体型遊技用シェルター斜視図、（Ｂ）（Ｃ）は、折り畳み遊技用シェルターの折りたたみ途中あるいは組み立て途中を示す斜視図で、（Ｄ）は折りたたんだ状態を示す斜視図である。
【図６】（Ａ）は、遊技用シェルターの正面図、（Ｂ）は、遊技用シェルターの平面図、（Ｄ）は、遊技用シェルターの側面図、（Ｃ）は、遊技用シェルターの斜視図である。
【符号の説明】
５    ゴム板
７    ねじフック
８    ねじフック固定の穴
９    ジョイント金具
１０    遊技用シェルター
１４    側板を引き固定する穴
２１    カバー
２２    チューブ
２３    フレーム
２４    フレーム
２５    台
２６    形状保持体
【図１】
2008093394.tif 000003
【図２】
2008093394.tif 000004
【図３】
2008093394.tif 000005
【図４】
2008093394.tif 000006
【図５】
2008093394.tif 000007
【図６】
2008093394.tif 000008
【手続補正書】
【提出日】平成19年3月19日(2007.3.19)
【手続補正１】
【補正対象書類名】特許請求の範囲
【補正対象項目名】請求項１
【補正方法】変更
【補正の内容】
【請求項１】
折り畳み可能な形状保持体と、この形状保持体の拡張状態で、これより幅広な底面、摩擦係数の大きい材質の台と、拡張状態で形状保持体の外周を覆うシート状のカバー部材より成り、カバー部材が台に着脱自在に固着されて成る遊技用シェルター。
【手続補正２】
【補正対象書類名】明細書
【補正対象項目名】０００８
【補正方法】変更
【補正の内容】
【０００８】そして、本発明は上記目的を達成するために、折り畳み可能な形状保持体と、この形状保持体の拡張状態で、これより幅広な底面、摩擦係数の大きい材質（ゴム製等）の台と、拡張状態で形状保持体の外周を覆うシート状のカバー部材より成り、カバー部材が台に着脱自在に固着するように構成されている。
【手続補正書】
【提出日】平成19年6月13日(2007.6.13)
【手続補正１】
【補正対象書類名】特許請求の範囲
【補正対象項目名】全文
【補正方法】変更
【補正の内容】
【特許請求の範囲】
【請求項１】
折り畳み可能な形状保持体と、この形状保持体の拡張状態で、これより幅広な底面、柔軟性と滑り止め効果のあるゴムからなる台と、拡張状態で形状保持体の外周を覆うシート状のカバー部材より成り、カバー部材が台に着脱自在に固着されて成る遊技用シェルター。
【請求項２】
形状保持体が、組み立て式箱体より成る請求項１記載の遊技用シェルター。
【請求項３】
形状保持体が、ドーナツ状の袋体より成り、袋体内に空気を圧入した請求項１記載の遊技用シェルター。
【手続補正２】
【補正対象書類名】明細書
【補正対象項目名】０００８
【補正方法】変更
【補正の内容】
【０００８】  そして、本発明は上記目的を達成するために、折り畳み可能な形状保持体と、この形状保持体の拡張状態で、これより幅広な底面、柔軟性と滑り止め効果のあるゴムからなる台と、拡張状態で形状保持体の外周を覆うシート状のカバー部材より成り、カバー部材が台に着脱自在に固着するように構成されている。